(57)【要約】【課題】着用者が両手を上に上げたり、大きく回したりする際の運動性が高い上衣を提供することである。【解決手段】  胴体部２と左右のアーム部５，６を有する上衣１において、胴体部２における袖ぐり２７部分に内側に折り込まれた折入れ部４０を設ける。アーム部５，６の下面部と胴体部２の腋にかけての部位は、継ぎ目の無い一枚続きの布地である長尺状パーツ２１によって構成されている。長尺状パーツ２１の両端側３０，３１の巾が狭く、中央部２２の巾が広い。また、長尺状パーツ２１は、中央部２２から両端側３０，３１に至って湾曲しており、前記中央部２２が腋下部位に位置している。【選択図】図４
2015105446.tif 000002
【特許請求の範囲】
【請求項１】
胴体部と左右のアーム部を有する上衣において、胴体部におけるアーム部の付け根には内側に折り込まれた折入れ部が設けられ、アーム部の下面部と胴体部の腋にかけての部位は長尺状パーツによって構成され、当該長尺状パーツは、継ぎ目の無い一枚続きの布地であって両端側の巾が狭く中央部の巾が広く且つ中央部から湾曲し、前記中央部が腋下部位に位置することを特徴とする上衣。
【請求項２】
長尺状パーツの中央部から一端にかけての部位は、胴体部の側面に設けられていて着用時を基準として略垂直方向に伸びていることを特徴とする請求項１に記載の上衣。
【請求項３】
長尺状パーツの一端は、アーム部の腋下から袖口までの部位における中央部よりも袖口裾側の位置にあり、長尺状パーツの他端は、腋下から裾まで高さの中央部よりも裾側にあることを特徴とする請求項１又は２に記載の上衣。
【請求項４】
折入れ部は、アーム部に対して背面側に設けられ、折入れ部の一部はメッシュで作られていることを特徴とする請求項１乃至３のいずれかに記載の上衣。
【発明の詳細な説明】
【技術分野】
【０００１】
本発明は、上衣に関するものであり、特に運動性が高く、作業服や事務服等の企業用ユニフォームとして好適な上衣に関するものである。
【背景技術】
【０００２】
上衣は古くから普遍的に使用されている衣類である。完成された上衣は、胴を包む本体部分と腕を包むアーム部及び襟等によって構成されている。また上衣を構成するパーツは、前身頃、後身頃、アーム、ヨーク、襟等である。上衣の発明には例えば特許文献１の様なものがある。特許文献１に開示された発明は、着用者が腕を上げやすい様に工夫された被服である。
【先行技術文献】
【特許文献】
【０００３】
【特許文献１】特開昭５９−２０４９０５号公報
【発明の概要】
【発明が解決しようとする課題】
【０００４】
着易く、動きやすい（以下  運動性）ことは、上衣に要求される基本的な性能である。特に、作業服や事務服等の企業用ユニフォームは、町着（カジュアルウェア）や通常の室内着に比べて運動性が要求される。即ち企業用ユニフォームは、生産現場や事務所内で着用されるものであり、所定の作業を行うのに支障が生じてはならない。
特に作業服や事務服等には、着用者が両手を上に上げたり、大きく回したりする際の運動性が要求される。
即ち町着を着用した場合の着用者の動作は、鞄等の小物を所持して歩くという動作が主であり、両手は下に下げているか、せいぜい肩の高さまで上げるに過ぎない。
これに対して生産現場や事務所では、高いところに物を置いたり、高い位置で物を受け渡す様な動作を行う場合が多い。そのため作業服や事務服には、着用者が両手を上に上げたり、大きく回したりする際の運動性が要求される。
前記した特許文献に開示された上衣は、着用者が腕を上げやすい様に工夫されたものであるが、運動性の善し悪しは作業着に要求される重要な品質であり、市場においてはさらなる改良が望まれている。
【０００５】
本発明は、上記した市場の要求に応えるために開発されたものであり、着用者が両手を上に上げたり、大きく回したりする際の運動性が高い上衣を提供するものである。
【課題を解決するための手段】
【０００６】
そして上記した課題を解決するための請求項１に記載の発明は、胴体部と左右のアーム部を有する上衣において、胴体部におけるアーム部の付け根には内側に折り込まれた折入れ部が設けられ、アーム部の下面部と胴体部の脇にかけての部位は長尺状パーツによって構成され、当該長尺状パーツは、継ぎ目の無い一枚続きの布地であって両端側の巾が狭く中央部の巾が広く且つ中央部から湾曲し、前記中央部が腋下部位に位置することを特徴とする上衣である。
【０００７】
本発明の上衣は、アーム部の付け根には内側に折り込まれた折入れ部が設けられている。そのためアーム部を前に引っ張ると折入れ部が広がり、アーム部を引っ張る際の負担が軽い。即ち、着用者は、腕を前方に動かしたり、腕を水平方向に回す動きを円滑に行うことができる。
また本発明の上衣は、アーム部の下面部と胴体部の脇にかけての部位は長尺状パーツによって構成されている。そして長尺状パーツは、継ぎ目の無い一枚続きの布地であって両端側の巾が狭く中央部の巾が広く且つ中央部から湾曲し、前記中央部が腋下部位に位置する。
そのためアーム部を上に胴体部の前方向上部側に移動させた場合に負担が軽い。
即ち長尺状パーツは継ぎ目の無い一枚続きの布地であってアーム部の下面部と胴体部の脇にかけた部位に設けられているから、アーム部を上に持ち上げる際に負担が少ない。換言すると、上下方向に腕を動かし易い。また長尺状パーツは中央部から湾曲しているから、アーム部を前に移動させる際の負担が少ない。さらに長尺状パーツは両端側の巾が狭く中央部の巾が広く中央部が腋下部位に位置するからアーム部が容易に捩じれる。
ここで、着用者が、高いところに物を置いたり、高い位置で物を受け渡す際の体の動きを分析すると、両手は、体の前側（腹から胸）を通過して前方向の上方に上げられる。具体的には、両手は、頭よりも前であって頭よりも上に位置する。
この時の上衣のアーム部は、前方向に引かれた状態であって、胴体部の前方向上部側に位置している。また移動の過程でアーム部は捩じられる。
これに対して本発明の上衣は、前記した様に、アーム部の付け根に折入れ部が設けられており、アーム部を前に引っ張ると折入れ部が広がるのでアーム部を引っ張る際の負担が軽く、さらに長尺状パーツの作用によってアーム部を上に胴体部の前方向上部側に移動させた場合に負担が軽く、且つ容易に捩じれる。そのため本発明の上衣を着用すると、両手を上に上げて作業する際の作業者の負担が軽い。
【０００８】
請求項２に記載の発明は、長尺状パーツの中央部から一端にかけての部位は、胴体部の側面に設けられていて着用時を基準として略垂直方向に伸びていることを特徴とする請求項１に記載の上衣である。
【０００９】
本発明の上衣は、長尺状パーツの中央部から一端にかけての部位は、胴体部の側面に設けられていて着用時を基準として略垂直方向に伸びているので、側面のラインが美しいものとなる。
【００１０】
請求項３に記載の発明は、長尺状パーツの一端は、アーム部の腋下から袖口までの部位における中央部よりも袖口裾側の位置にあり、長尺状パーツの他端は、腋下から裾まで高さの中央部よりも裾側にあることを特徴とする請求項１又は２に記載の上衣である。
【００１１】
本発明の上衣は、長尺状パーツが長く、アーム部の略半分以上の長さと胴体部の半分以上の長さに渡って跨がっている。そのため着用者が動いた際に部分的なツレが生じない。
【００１２】
請求項４に記載の発明は、折入れ部は、アーム部に対して背面側に設けられ、折入れ部の一部はメッシュで作られていることを特徴とする請求項１乃至３のいずれかに記載の上衣である。
【００１３】
本発明では、折入れ部の一部がメッシュで作られているので通気性がよい。またメッシュが設けられた部位は、折入れ部であるから通常時は外から見えない。
【発明の効果】
【００１４】
本発明の上衣は、運動性が高く、特に高いところに物を置くような作業がし易いという効果がある。
【図面の簡単な説明】
【００１５】
【図１】本発明の実施形態の上衣の正面図である。
【図２】図１の上衣の背面図である。
【図３】図１の上衣の左側面図である。
【図４】図１に示す上衣のアーム部を上げた状態における左側面図である。
【図５】図２の折入れ部のＡ−Ａ断面図である。
【図６】図２とは別の上衣の背面図である。
【発明を実施するための形態】
【００１６】
以下さらに本発明の実施形態について説明する。図１は、本発明の実施形態の上衣の正面図である。図２は、図１の上衣の背面図である。図３は、図１の上衣の左側面図である。図４は、図１に示す上衣のアーム部を上げた状態における左側面図である。図５は、図２の折入れ部のＡ−Ａ断面図である。
【００１７】
本実施形態の上衣１は、作業着であり、より詳細には作業用ジャンバーである。
上衣１は、公知の作業用ジャンバーと同様に、胴体部２と左右のアーム部５，６を持つ。胴体部２は、前袷であり、前身頃は二つのパーツに別れている。そして両者の間には図示しないファスナーが設けられている。
また上衣の正面側には襟部８とポケット１０，１１，１２，１４が設けられている。この内、ポケット１０，１１は、公知のジャンバーと同様、裾９の近傍に設けられている。これに対してポケット１２，１４は、腋の近傍にある。
【００１８】
本実施形態の上衣１は、アーム部５，６及びこの近傍の構造に特徴がある。本実施形態では、アーム部５，６は、大パーツ１７と小パーツ１８，１９及び長尺状パーツ２１によって構成されている。アーム部５，６の一端には胴体部２と縫合される袖ぐり２７があり、他端には袖口２８がある。
【００１９】
大パーツ１７は、袖ぐり２７から袖口２８に至っており、アーム部５，６の略半分程度の領域を占めている。大パーツ１７は、アーム部５，６の外面側（胴体部２とは反対側）の部位を構成する。
【００２０】
小パーツ１８，１９は、袖ぐり２７から袖口２８に至っており、大パーツ１７の両側に配置されて、それぞれ大パーツ１７と縫合されている。小パーツ１８，１９の袖口２８側の端部は縫合されている。
【００２１】
また、縫合された袖口２８側から袖ぐり２７側に至る途中の部位から両小パーツ１８，１９の間に長尺状パーツ２１が配置されている。長尺状パーツ２１の両側は、それぞれ小パーツ１８，１９に縫合されている。長尺状パーツ２１は、袖ぐり２７を越えてのびている。
【００２２】
小パーツ１８，１９、及び長尺状パーツ２１によって、アーム部５，６における袖ぐり２７から袖口２８に至る略半分程度の領域が占められている。小パーツ１８，１９、長尺状パーツ２１によって、アーム部５，６の内面側（胴体部２側）の部位を構成する。
【００２３】
即ち大パーツ１７と小パーツ１８，１９は一端側に袖ぐり２７のカーブを有し、他端側に袖口２８のカーブが設けられた布片である。
【００２４】
また長尺状パーツ２１は、図４に示す様に、バナナ又はブーメラン状をした部材であり、中央部２２の巾が広く、先端側部３０及び他端側部３１の巾は狭い。即ち長尺状パーツ２１は、長手方向における中央部２２から端に行くほど巾が細くなるように形成されている。また中央部２２は最も巾が広い。従って中央部２２から袖口２８側にかけての先端側部３０の形状は略三角形であり、中央部２２から他端側部３１にかけての形状についても略三角形である。そして長尺状パーツ２１は、中央部２２で湾曲している。
【００２５】
アーム部５，６は、大パーツ１７及び小パーツ１８，１９の袖ぐり２７側が、胴体部２の前身頃２ａ及び後身頃２ｂに縫合されている。
さらにアーム部５，６と胴体部２の両者に長尺状パーツ２１が跨がっている。
即ち小パーツ１８，１９の側面同士の間に長尺状パーツ２１の先端側部３０が割り込んだ状態で縫合されている。より詳細に説明すると、長尺状パーツ２１は、継ぎ目の無い一枚続きの布地であり、長尺状パーツ２１の先端側部３０は、アーム部５，６の下面（着用してアーム部を水平にした状態を基準）の一部を構成するものであり、先端側部３０の最先端は、アーム部５，６の下面であって、袖口２８に近い部位に至っている。ただし長尺状パーツ２１の先端側部３０は、袖口２８には至っておらず、袖口２８部分は、小パーツ１８，１９が直接縫合されており、大パーツ１７，及び両小パーツ１８，１９によって筒状を構成している。
【００２６】
長尺状パーツ２１の先端側部３０の位置は、アーム部５，６の腋下ライン７（図４）から袖口２８までの長さを全長の基準として腋下ライン７から全長の３／４程度の位置にある。即ち長尺状パーツ２１の先端側部３０は、アーム部５，６の腋下から袖口２８までの部位における中央よりも袖口２８側の位置にある。
【００２７】
また長尺状パーツ２１の他端側部３１は、胴体部２の前身頃２ａと後身頃２ｂの間に配置されて、前身頃２ａと後身頃２ｂに縫合されている。即ち長尺状パーツ２１の他端側部３１は、胴体部２の側面の一部又は全部を構成している。長尺状パーツ２１の中央部分から他端側部３１に至る部分は、着用した際に体の線と平行であり、着用して起立した状態を基準とすると、長尺状パーツ２１の中央部分から他端側部３１に至る部位は、垂直方向に延びる。
【００２８】
長尺状パーツ２１の他端側部３１の位置は、胴体部２の腋下から裾９までの長さを全長の基準として腋下ライン７から全長の３／４程度の位置にある。即ち長尺状パーツ２１の他端側部３１は、腋下ライン７から裾９に至る部分における中央部よりも裾９側の位置にある。
【００２９】
また本実施形態の上衣１では、胴体部２の背面側（後身頃２ｂ側）であって、アーム部５，６の取付け部位には、プリーツ（折入れ部）４０が設けられている。図５は、図２の折入れ部４０のＡ−Ａ断面図である。
プリーツ（折入れ部）４０は、折入れ片４１とメッシュ部材４２と、接合片４３によって構成されている。本実施形態では、プリーツ（折入れ部）４０は、布地を癖付けしたものではなく、パーツ布地を重ねて一端を縫合したものである。
即ちプリーツ（折入れ部）４０は後身頃２ｂの袖ぐり２７の中心部よりもやや下の部位からみぞおちの高さ程度までの位置に設けられており、後身頃２ｂの本体部分の内面に重ねて折入れ片４１が設けられ、当該折入れ片４１の端辺と後身頃２ｂの本体部分の端辺が重ねて縫合されている。また折入れ片４１の奥部はメッシュ部材４２を介して接合片４３と縫合されている。接合片４３の一部は前記した折入れ片４１と重なり、その他の部位（露出部４３ａ）が外部に露出している。即ち、図５において、折入れ片４１の端より外側（破線４５より外側）が露出して露出部４３ａを構成している。そして当該露出部４３ａに前記したアーム部５，６の下部側と後身頃２ｂが縫合されている。
図５に示す様に、メッシュ部材４２は、後身頃２ｂ及び折入れ片４１に隠れており、通常は外側から見えない。しかし、メッシュ部材４２は、上衣１の外側と体側（内側）とを連通しているため、メッシュ部材４２を介して通気性が確保されている。
【００３０】
本実施形態の上衣１を着用し、図４の様に上方に物を置く際の姿勢をとると、アーム部５，６は、前側であって上方に引かれる。このとき、本実施形態の上衣１では、アーム部５，６の背面側（後身頃２ｂ側）にプリーツ（折入れ部）４０が設けられているので、アーム部５，６を前に引っ張ると折入れ部４０が広がるのでアーム部５，６を引っ張る際の負担が軽く、アーム部５，６は、前側であって上方に容易に移動する。
またアーム部５，６と胴体部２の間には長尺状パーツ２１があり、長尺状パーツ２１はバナナ状に湾曲しているから、アーム部５，６を上に胴体部２の前方向上部側に移動させた場合に負担が軽く、且つ容易に捩じれ、前側であって上方に容易に移動する。
さらに長尺状パーツ２１は継ぎ目の無い一枚続きの布地であるからアーム部５，６を昇降させる際に引っ掛かりが生じない。またアーム部５，６と接合されている部位が先細状であるから、ねじれに対しての抵抗が小さい。
これらの作用から、本実施形態の上衣１を着用した時、両手を上に上げやすく、上方に物を置く等の作業が容易である。
【００３１】
また本実施形態の上衣１は、プリーツ（折入れ部）４０が布を重ねて縫合したものであるから、折り畳み状態に復帰する力が強い。即ちプリーツ（折入れ部）４０の収納回復力が高いので、両手を振り回すような作業を行う場合でも作業性が高い。また前記した様にプリーツ（折入れ部）４０の収納回復力が高いので、作業が終了するとプリーツ（折入れ部）４０が通常の状態に復帰し易く、型崩れしない。
【００３２】
また本実施形態の上衣１は、プリーツ（折入れ部）４０が布を重ねて縫合したものであるから、折り畳み状態に復帰する力が強い。そのため上衣１をハンガー等に吊るしたとき、アーム部５，６が後方に引かれ、胴体部２の側面に近づくので、上衣１が猫背状にならず見栄えがよい。
【００３３】
次に、上衣１の変形例について説明する。
図６は、図１，図２に示す上衣１とは別の上衣５１の背面図である。
上衣５１と上衣１とでは、プリーツ（折入れ部）の設置位置が相違するものであり、その他の構成は同じである。
【００３４】
上衣５１のプリーツ（折入れ部）６０は、上衣１のプリーツ（折入れ部）４０と同様に、図５に示す折入れ片４１、メッシュ部材４２、接合片４３によって構成されているが、設置範囲が相違している。即ち、上衣５１のプリーツ（折入れ部）６０は、後身頃２ｂの袖ぐり２７の上部からみぞおちの高さ程度までの位置に設けられている点で上衣１のプリーツ（折入れ部）４０と相違している。換言すると、上衣５１のプリーツ（折入れ部）６０は、図２の上衣１のプリーツ（折入れ部）４０よりも長く、設置範囲が広い。
【００３５】
このような上衣５１では、プリーツ６０が、上衣１のプリーツ４０よりも長さが長い分だけ、胴体部２に対するアーム部５，６の可動範囲が拡がる。そのため、上衣５１を着用した着用者は、上衣１を着用したときよりもさらに腕を楽に動かすことができる。
以上説明した様に、上衣１，５１は、長尺状パーツ２１やプリーツ（折入れ部）４０，６０によって、着用者が腕の上下及び前後の動作を行い易いという作用効果を奏することができる。
【００３６】
また、プリーツ４０、６０の折入れ片４１の縁に沿って、色彩を施すと、デザイン性が向上し、見栄えがよい。
【符号の説明】
【００３７】
１、５１    上衣
２          胴体部
５、６      アーム部
９          裾
２１        長尺状パーツ
２２        長尺状パーツの中央部
２８        袖口
３０        長尺状パーツの先端側部（一端）
３１        長尺状パーツの他端側部（他端）
４０、６０  プリーツ（折入れ部）
４２        メッシュ部材
【図１】
2015105446.tif 000003
【図２】
2015105446.tif 000004
【図３】
2015105446.tif 000005
【図４】
2015105446.tif 000006
【図５】
2015105446.tif 000007
【図６】
2015105446.tif 000008